(57)【要約】      （修正有）【課題】稚貝耳片に設ける掛止孔への係止ピンの挿入を円滑、容易化し、帆立貝養殖作業における係止ピンの装着作業の円滑、容易化、効率化を図り得るようにした帆立貝養殖用の係止ピンを提供する【解決手段】全体が樹脂形成され、棒状のランナ部３と、このランナ部３から直角に分岐し、ランナ部の径よりも小径のゲート部４と、このゲート部４の先に設けられる成品部２とからなる。成品部２が、軸部２１の両端部に帆立貝耳片に穿孔した耳吊り孔への先部挿入部５ａ，６ａと、軸部の先部挿入部５，６の各軸内方部に周方向に突出する一対の帆立貝係止部７，８と、軸部の長さ方向中間部に周方向に突出するロープ抜止係止部９，１０を有する。ランナ部３は一条であり、ゲート部４を、成品部２との境界部で切断することで、養殖帆立貝の係止具が得られる。【選択図】図３
0003176403.tif 000002
【実用新案登録請求の範囲】
【請求項１】
棒状のランナ部と、このランナ部から直角に分岐し、前記ランナ部の径よりも小径のゲート部と、このゲート部の先に設けられる成品部とからなり、
この成品部が、軸部の両端部に帆立貝耳片に穿孔した耳吊り孔への先部挿入部を有し、軸部の先部挿入部の各軸内方部に、周方向に突出する一対の帆立貝係止部を有し、軸部の長さ方向中間部に周方向に突出するロープ抜止係止部を有し、全一体に樹脂成形された帆立貝養殖用の係止ピンであって、
前記ランナ部は一条であり、前記ゲート部を、前記成品部との境界部で切断することで、前記養殖帆立貝の係止具が得られるようにした、
ことを特徴とする帆立貝養殖用の係止ピン。
【請求項２】
前記帆立貝係止部は、軸部の両端の各先部挿入部の各軸方向内方に周方向に突出する各一つの係止片からなる「∠」形、または、各軸方向内方に周方向に対称的に突出する二つの係止片からなる「＜」形であることを特徴とする帆立貝養殖用の係止ピン。
【請求項３】
前記成品部の両端部が、略々半球状を呈することを特徴とする請求項１又は２記載の帆立貝養殖用の係止ピン。
【請求項４】
前記成品部の多数並列された軸部の相互間を、連結部で繋ぐようにしたことを特徴とする請求項１記載の帆立貝養殖用の係止ピン。
【請求項５】
前記軸部間を繋ぐ連結部は、前記軸部の長さ方向中間部に周方向に突出させたロープ抜止係止部の先端部を介して隣接する軸部と繋げるようにした連結部であることを特徴とする請求項４記載の帆立貝養殖用の係止ピン。
【考案の詳細な説明】
【技術分野】
【０００１】
本考案は、帆立貝の養殖に用いる係止ピンの改良に関するものである。
【背景技術】
【０００２】
帆立貝の養殖に際し、係止ピンをロープに通し、係止ピンの先端部に設けた係止部に帆立貝の稚貝の耳片の穿孔部に通し、海中にロープを垂らし、帆立貝を養殖する係止ピンは実用に供されている。
【先行技術文献】
【特許文献】
【０００３】
【特許文献１】特開２００３−０５２２７０号公報
【０００４】
図１５及び図１６は、特許文献１の図１、図２に示した従来の係止ピンを示し、符号は付り直した。
図１６は、帯状に成形した係止ピンの一部を示した正面図、図１７は、図１５の一部の拡大図である。
帯状体１００は、両側のランナ部１０１，１０２、この間に左右のゲート部１０３，１０４で連結された多数の係止ピン１０５…（…は複数を表す。以下同じ）からなり、係止ピン１０５…は、ランナ部１０１，１０２間に所定ピッチで相互に平行に設けられている。
【０００５】
係止ピン１０５…は、細長い軸部１０６の両端部に挿入部１０７，１０８を有し、挿入部１０７，１０８の内方部位に図の上方に帆立貝の耳部を係止する係止片１０９，１１０を備える。
軸部１０６の長さ方向中間部には、係止片１０９，１１０と同方向に突出する、ロープ抜止片１１１，１１２を「ハ」字形に突設し、ロープ抜止片１１１，１１２の先端部と隣接する係止ピンの軸部とが連結部１１３，１１４で連結されている。
以上の帯状体１００は、ランナ部１０１，１０２、ゲート部１０３，１０４、軸部１０６…を平行とした多数の係止ピン１０５…を含んで樹脂の射出成形により全一体に成形されている。
【０００６】
帯状体１００は、特許文献１の図３のように巻回し、ロール状係止ピンとし、両側のランナ部１０１，１０２をゲート部１０３，１０４から切り離して係止ピン単体を得る。
図１７〜図１９は、係止ピン単体を得る工程を示す。
図１７に示すように、例えばランナ部の一方１０１の外側面１０１ａを基準座１１５に当て、外側面１０１ａを基準面とし、或いは、他方のランナ部１０２の外側面をも基準面とし、左右のカッター１１６，１１７でゲート部１０３，１０４を切断し、係止ピン単体を切り離す。
その状態を図１７で示し、図１８では、切断作業を拡大して示した。
【０００７】
ところで、係止ピンの本体を構成する軸部１０６はある程度可撓性を有する樹脂であり、軸部１０６の両端部のゲート部１０３，１０４をランナ１０１，１０２から切り離す際、軸部１０６の両端部のゲート部１０３，１０４に直角にカッター１１６，１１７が侵入し、切り離し作業を行う。
この切断作業に際し、カッター１１６，１１７の押付力で軸部１０６を含む係止ピン１０５が撓む。
例えば、図１２に示すように、一方のランナ部１０１の外側面１０１ａを基準面とした例では、一方のゲート部１０３は、基準座１１５に押し付けられているので撓みは少ないが、他方のゲート部１０４は軸部１０６を含んでカッター１１７の侵入方向に撓み、軸部１０６のこの側の先端部の挿入部１０８を内側から切断することとなる。
【０００８】
図１９は、切断された係止ピン１０５の単体を示し、軸部１０６の両端部に挿入部１０７，１０８を備え、軸方向内側の先部に係止片１０９，１１０を備え、中間部に「ハ」字形にロープ抜止片１１１，１１２を備え、他の係止ピンとは、ロープ抜止片１１１，１１２の連結部１１３，１１４で切り離し、係止ピン単体を構成する。
ところで、係止ピン１０５の両端部の挿入部１０７，１０８の先端部は、帆立貝の稚貝の耳片の設けた掛止孔に挿入し、係止片１０９，１１０で、両端部に通した２個の稚貝の耳片部分を掛止するものである。
【考案の概要】
【考案が解決しようとする課題】
【０００９】
帯状体１００から切り離した係止ピン１０５は、例えば全長が６５〜６７mmであり、最も径が大きい軸部の直径は１．４〜１．８mmである。
帯状体から切り離した係止ピン１０５の両端部を夫々丸くし、ゲート部１０３，１０４でランナ部１０１，１０２に連結したとしても、一方の挿入部１０７の先端部１０７ａは略々丸い状態を維持して切り離しが可能であるが、他方の先端部１０８ａはゲート部１０４から軸内方に偏寄して切断され、角張った端面形状となる。
【００１０】
図２０及び図２１は、本考案が解決しようとする課題を示した説明図である。
図２０は、二枚通し穿孔の例で、帆立貝の稚貝１５０の左殻、右殻１５１，１５２の耳片部分１５１ａ，１５２ａの上下に重ね合わされて穿孔する。これにより、上下に掛止孔１５３，１５４を設けられるが、耳片部分１５１ａ，１５２ａの上からドリルで二枚通しで穿孔する際、稚貝の殻が外方に膨出した形状であること、表面に凹凸条を有すること等から、穿孔に際し姿勢が変化し、上下の掛止孔１５３，１５４の位置がズレて不一致となることが多い。
ところで、稚貝の耳片の掛止孔は、例えば１．５〜１．９mmであって、極小径である。
【００１１】
この状態で、係止ピン１０５の角張った端面形状の挿入部１０８の先端部１０８ａを掛止孔１５３，１５４に上から挿入する。
図では，上の掛止孔１５３に先端部１１０８ａを挿入され、次に、下の掛止孔１５４に先端部１０８ａを挿入する。この下側の掛止孔１５４への矢印ａのように上からの挿入に際し、上側の掛止孔１５３の位置と下側の掛止孔１５４の位置が一致しないため、角張った先端部１８１ａが掛止孔１５４の周辺部に当接し、孔周辺部に当たって掛止孔１５４に挿入することができない。
【００１２】
このため、挿入部１０８を含んで係止ピン１０５を矢印ｂ，ｃのように揺すったり、曲げ方向に変形させ、先端部１０８ａを無理に掛止孔１０５に挿入している。
このため、稚貝への係止ピンの挿入作業の円滑を阻害し、作業効率が低下する。
帆立貝の養殖は、海中に縦向きに吊り下げられるロープに、これと直交するように貫通・横断するように、多数の係止ピンをロープの長さ方向に所定間隔で係止・保持させ、係止ピンの両端部に、帆立貝を、その耳片を貫通させて係止することで係止、保持させて行われる。
【００１３】
帆立貝の養殖は、例えば径が６〜８mm、長さが例えば１０〜１５ｍのロープを用い、例えば６４〜７０mm長の係止ピンを、１００〜１３０mmピッチで、ロープの長さ方向に直交する方向に貫通・保持させ、係止ピンの両端部に稚貝の耳片を貫通させ、海中に縦向きにロープを吊り下げ、なされるものである。
従って、１本のロープに１００本以上の係止ピンを係止し、各係止ピンの先端部に稚貝を掛止するので、角張った端面形状の先端部を有する従来の係止ピンでは、稚貝耳片の掛止孔への係止ピン挿入部の挿入作業（係止作業）に多大の労力と、多くの時間を必要とし、能率が極めて悪い。
【００１４】
図２１は、一枚通し穿孔の例で、稚貝の耳片１５０ａに穿設された掛止孔１５５に、上から角張った端面形状の先端部１０８ａを挿入する際、先端部１０８ａが掛止孔１５５と一致しない場合は、掛止孔１５５への先端部１０８ａへの矢印ａ方向からの挿入がスムーズになされず、前記したと同様に、係止ピン１０５を矢印ｂ，ｃのように揺すったり、曲げ方向に変形させ、先端部１０８ａを掛止孔１５５に無理に挿入し、これ亦、稚貝への係止ピンの挿入作業の円滑を阻害し、作業効率が低下する。
【００１５】
本考案は、帆立貝の稚貝耳片への係止ピンの係止、従って掛止孔へ係止ピン挿入部の挿入を円滑、容易化し、帆立貝養殖作業における係止ピンの装着作業の円滑、容易化、効率化を図り得るようにした帆立貝養殖用の係止ピンを提供することを課題とする。
【課題を解決するための手段】
【００１６】
上記課題を解決するために、請求項１に係る考案は、棒状のランナ部と、このランナ部から直角に分岐し、前記ランナ部の径よりも小径のゲート部と、このゲート部の先に設けられる成品部とからなり、この成品部が、軸部の両端部に帆立貝耳片に穿孔した耳吊り孔への先部挿入部を有し、軸部の先部挿入部の各軸内方部に周方向に突出する一対の帆立貝係止部を有し、軸部の長さ方向中間部に周方向に突出するロープ抜止係止部を有し、全一体に樹脂成形された帆立貝養殖用の係止ピンであって、ランナ部は一条であり、ゲート部を、成品部との境界部で切断することで、養殖帆立貝の係止具が得られるようにしたことを特徴とする。
【００１７】
請求項２に係る考案は、請求項１において、帆立貝係止部は、軸部の両端の各先部挿入部の各軸方向内方に周方向に突出する各一つの係止片からなる「∠」形、または各軸方向内方に周方向に対称的に突出する二つの係止片からなる「＜」形であることを特徴とする。
【００１８】
請求項３に係る考案は、請求項１又は請求項２において、成品部の両端部が、略々半球状を呈することを特徴とする。
【００１９】
請求項４に係る考案は、成品部の多数並列された軸部の相互間を、連結部で繋ぐようにしたことを特徴とする。
【００２０】
請求項５に係る考案は、軸部間を繋ぐ連結部は、軸部の長さ方向中間部に周方向に突出させたロープ抜止係止部の先端部を介して隣接する軸部と繋げるようにした連結部であることを特徴とする。
【考案の効果】
【００２１】
請求項１に係る考案では、棒状のランナ部と、このランナ部から直角に分岐し、ランナ部の径よりも小径のゲート部と、このゲート部の先に設けられる成品部とからなり、この成品部が、軸部の両端部に帆立貝耳片に穿孔した耳吊り孔への先部挿入部を有し、軸部の先部挿入部の各軸内方部に周方向に突出する一対の帆立貝係止部を有し、軸部の長さ方向中間部に周方向に突出するロープ抜止係止部を有し、全一体に樹脂成形された帆立貝養殖用の係止ピンであって、ランナ部は一条であり、ゲート部を、成品部との境界部で切断することで、養殖帆立貝の係止具が得られるようにしたので、係止ピンの成形品からの切り出しに際し、一条のランナ部の外側面を基準とし、ランナ部側のゲート部で切断するので、係止ピンのこの側（一方）の先端部は、半球状等とした形状を維持しつつ、ゲート部から正確に切断することができ、係止ピンの他の側（他方）は切断しないので、成形時の半球状等の形状は保持され、係止ピンの両端部ともに角張った端面が形成されず、二枚通し掛止孔、一枚通し掛止孔に拘わらず、係止ピンのどの側の先端部も、稚貝耳片の掛止孔に円滑、容易に挿入することができ、係止ピンへの稚貝に装着作業を円滑、容易に、効率良く行うことができる。
【００２２】
請求項２に係る考案は、帆立貝係止部は、軸部の両端の各先部挿入部の各軸方向内方に周方向に突出する各一つの係止片からなる「∠」形、または各軸方向内方に周方向に対称的に突出する二つの係止片からなる「＜」形であるので、請求項１の効果に加えるに、帆立貝の掛止作業に際し、帆立貝の掛止孔への挿入が円滑、容易であり、また、係止後においては、帆立貝の掛止、保持を確実に行うことができる。
【００２３】
請求項３に係る考案では、成品部の両端部が、略々半球状を呈するので、請求項１の効果に加えるに、係止ピンの両端部ともに半球状なので、上下で位置が不一致の可能性が高い二枚通し掛止孔でも、また、係止ピンの先端部と必ずしも軸心位置が一致するとは限らない一枚通し掛止孔に拘わらず、係止ピンの先端部の稚貝耳片の掛止孔に円滑、容易に挿入することができ、係止ピンへの稚貝に装着作業を一層円滑、容易に、効率良く行うことができる。
【００２４】
請求項４に係る考案では、成品部の多数並列された軸部の相互間を、連結部で繋ぐようにしたので、請求項１の効果に加えるに、連結部で軸部相互間が確実に連結され、ロール状に巻回された係止ピンの成形上有利である。
【００２５】
請求項５に係る考案では、軸部間を繋ぐ連結部は、軸部の長さ方向中間部に周方向に突出させたロープ抜止係止部の先端部を介して隣接する軸部と繋げるようにしたものなので、連結部をロープ抜止係止部を利用して最少の余片で軸部相互間が確実に連結することができ、ロール状に巻回された係止ピンの成形上有利である。
【図面の簡単な説明】
【００２６】
【図１】本考案に係る係止ピンのロール状成形品の正面図である。
【図２】図１の要部拡大図である。
【図３】ロール状成形品から係止ピンを切断（切り離し）作業の説明図である。
【図４】図３のＡ部の拡大図である。
【図５】切り離された係止ピン単体（成品部）を示す図である。
【図６】稚貝の掛止孔に係止ピンの先端部を挿入する説明図で、二枚通し掛止孔の例を示す図であり、上側の耳片の掛止孔への挿入を示す図である。
【図７】図６の状態から、下側の掛止孔へ先端部が挿入する図である。
【図８】一枚通し掛止孔の例を示す図であり、一枚の耳片に設けた掛止孔への先端部の挿入を示す図である。
【図９】本考案の他の実施例の図２と同様の図である。
【図１０】図９の実施例の切り離された係止ピン単体（成品部）を示す図である。
【図１１】本考案の第２の実施形態の図２と同様の図である。
【図１２】図１１の実施形態の切り離された係止ピン単体（成品部）を示す図である。
【図１３】本考案の第３の実施形態の図２と同様の図である。
【図１４】図１３の実施形態の切り離された係止ピン単体（成品部）を示す図である。
【図１５】従来の係止ピンを示す説明図である。
【図１６】図９の要部拡大図である。
【図１７】図１１は、図９の樹脂成形品を切断し、係止ピンを得る工程を示す説明図である。
【図１８】図１１の要部拡大図である。
【図１９】切断して得られた係止ピンの正面図である。
【図２０】稚貝の掛止孔に係止ピンの先端部を挿入する際の、課題を示した説明図で、二枚通し掛止孔の例を示す図である。
【図２１】稚貝の掛止孔に係止ピンの先端部を挿入する際の、課題を示した説明図で、一枚通し掛止孔の例を示す図である。
【考案を実施するための形態】
【００２７】
本考案の実施の形態を添付図に基づいて以下に説明する。なお、図面は符号の向きに見るものとする。
図１は、本考案に係る係止ピンのロール状成形品１の正面図で、ロール状成形品１は、係止ピンの単体を構成する成品部２…と、この成品部２…の一端部に成品部２と直交する方向に配置された直線帯状のランナ部３と、このランナ部３と各成品部２…とを繋ぐゲート部４…とからなる。ゲート部４…はランナ部３から分岐して設けられている。
ランナ部３は、成品部２…の一端側に一条設けられる。
【００２８】
以上のロール状成形品１は、樹脂で各部全一体に成形し、素材は、例えば、６６ナイロンを用いた。
６６ナイロンは、係止ピンとして用いた場合、帆立貝を係止して海中に侵浸した際、海中で水分を吸収し、これにより少し柔らかくなり、また、伸ばすと約３倍程度延伸するためである。
【００２９】
図２は、図１の要部の拡大図であり、ランナ部３は幅ある帯状で直線状であり、外側面（外側縁）３ａは直線状で、カッターによる切断時の基準面を構成する。
成品部２…は、一端部をゲート部４…でランナ部３と連結した軸部２１…を有し、軸部２１…は、ランナ３の長さ方向に、所定ピッチ開けて平行に多数本繋がって設けられている。
【００３０】
成品部２の軸部２１の両端部には、半球体からなる先端部５ａ，６ａが形成されている。一方の先端部６ａは、半球体のまま成形されており、この側の端面６ｂにはランナ部は形成されてない。他方の先端部５ａは、半球体の端面５ｂが細いゲート部４でランナ部３に連結されている。
以上の半球体からなる先端部５ａ，６ａにより、軸方向に短い長さを有する挿入部５，６を形成する。
【００３１】
軸部２１の両端先端部の挿入部５，６の軸方向内方には、夫々軸方向に、対称的に径方向外方に斜めに突出する係止片（帆立貝係止部）７，８が設けられている。
軸部２１の長さ方向の中間には、対称的に「ハ」字形に、径方向外方で、係止片７，８と同方向に突出するロープ抜止片（ロープ抜止係止部）９，１０が設けられている。
ロープ抜止片９，１０は、平行に設けられる隣接する成品部２の軸部のロープ抜止片を有しない側の軸周に連結部１１，１２により連結されている。
【００３２】
図３は、ロール状成形品から係止ピンを切断（切り離し）作業の説明図であり、図４は、図３のＡ部の拡大図である。
ロール状成形品１から成品部２を切り離す作業は以下の通りである。
ロール状成形品１は、ランナ部３の外側面３ａを基準座１４の座面１４ａに当接するように保持し、ランナ部３の内側面３ｂに沿ってカッター１５によりゲート部４を切断する。
ゲート部４の切断に際し、ランナ部３が、その外側面３ａを基準面として、基準座１４の座面１４ａとの当接により、カッター１５の刃先の侵入のゲート部４に対する直角方向の移動が保持される。また、カッター１５は、成品部２の半球体からなる端面５ｂとランナ部３の内側面３ｂ間のゲート部４の位置に正確に侵入し、半球体からなる端面５ｂにかかることなく、ゲート部４を切断することができる。
この状態を図４で示した。
【００３３】
以上により単体の係止ピン（養殖帆立貝の掛止具）２０を得る。
得られた係止ピン２０は、両端部の挿入部５，６の先端部５ａ，６ａは、半球体からなる端面５ｂ，６ｂが半球状の状態で維持され、ゲート部４から切断した側の端面５ｂは、半球体の中心部に切断痕が残るが、これの周辺部は半球状の球面部を構成している。
図５で、得られた係止ピン２０の単体を示した。
尚、他端側の挿入部６は、図１〜図３で示した通りランナ部が無く、係止ピンの成品部としてこの側の先端部６ａが端面６ｂを含んで半球体として形成されているので、一端側の挿入部５の先端部５ａと同様、より以上の半球体として構成されている。
【００３４】
図６は、稚貝の掛止孔に係止ピンの先端部を挿入する説明図で、二枚通し掛止孔の例を示す図であり、上側の耳片の掛止孔への挿入を示す図であり、図７は、図６の状態から、下側の掛止孔へ先端部が挿入する図である。
帆立貝の稚貝５０は、図の上下に示した殻５１，５２（右殻、左殻）からなり、図の上下の殻５１，５２の耳片５１ａ，５２ａに掛止孔（耳吊り孔）を穿設する。
図６、図７の実施例では、稚貝５０の生育が遅く、外形が小さいものの例で、この例では、上下の耳片５１ａ，５２ａを通して掛止孔５３．５４を穿設する。
【００３５】
上側の耳片５１ａに設けた掛止孔５３の上方から、係止ピン２０を、その軸線が直交する方向で臨ませ、挿入部５の先端部５ａを挿入する。
挿入部５の先端部５ａの挿入時に、掛止孔５３と先端部５ａとのセンターが、完全に一致せず、掛止孔周辺部近くに侵入したとしても、先端部５ａが掛止孔５３に半球体のガイド作用により無理なく、円滑に侵入することとなる。
【００３６】
続いて、下の耳片５２ａの掛止孔５４に係止ピン２０の先端部５ａが侵入するが、掛止孔５４が、上の掛止孔５３に対して完全に一致せず、孔間にズレがあったとしても、先端部５ａが半球体なので、掛止孔５４に半球体のガイド作用により無理なく、円滑に侵入することとなる。
以上の通り、両端の挿入部５，６の先端部５ａ，６ａが半球体なので、双方も共に同様に掛止孔５３，５４に、無理なく、円滑に挿入することができる。
従って、係止ピンへの稚貝に係止、装着作業が円滑、容易に、短時間でなされることとなる。
【００３７】
図８は、一枚通し掛止孔の例を示す図であり、一枚の耳片に設けた掛止孔への先端部の挿入を示す図である。
稚貝の生育がある程度進み、外形がある程度大きい場合は、一方の耳片に生成される排泄部により、他方の耳片に、外方に突出する部分が形成され、この耳片５５のこの成長部分５５ａのみに掛止孔５６を設け、これにより係止ピンに係止、装着して帆立貝養殖時に保持することができる。
この場合は、耳片５５の成長部分５５ａに掛止孔５６を穿設することができる（一枚通し）。
この場合においても、掛止孔５６に係止ピン１４の挿入部５の先端部５ａが半球体なので、上記と同様に、掛止孔と先端部とが、完全に一致せず、ズレがあったとしても、無理なく、円滑に掛止孔に先端部が侵入し、耳片に係止ピンを係止、装着することができる。
尚、係止ピンによる一枚通し係止においては、経時的に他方に耳片に形成されている排泄部位（耳片の欠損部）の相当部が成長し、係止ピンを含んで外側から覆い、一枚通し係止部位に係止された係止ピンを強固に保持することとなる。
【００３８】
図９は、本考案の他の実施例の図２と同様の図であり、図１０は、同実施例の切り離された係止ピン単体（成品部）を示す図である。
基本的な構成は前記実施例と同様であり、同一部分には同一符号を付し、詳細な説明は省略する。
本実施例は、係止ピンの単体を構成する成品部２…相互は、一端側に設けた一条のランナ部３とゲート部４…のみで連結されており、成品部２…相互は連結されていない構造である。
【００３９】
前記実施例では、成品部２…は、ロープ抜止片（ロープ抜止係止部）９，１０の部分で、隣接する成品部２の軸部のロープ抜止片を有しない側の軸周に、連結部１１，１２により連結したが、本実施例は、図９で明示した通り、隣接する成品部２の軸部とは連結されていない構造としたものである。
その他の構成は、前記実施例と同様である。
【００４０】
図１１は、本考案の第２の実施形態の図２と同様の図であり、図１２は、図１１の実施形態の切り離された係止ピン単体（成品部）を示す図である。
基本的な構成は前記実施例と同様であり、同一部分には同一符号を付し、詳細な説明は省略する。
本実施の形態においても、係止ピンの単体を構成する成品部２…相互は、一端側に設けた一条のランナ部３とゲート部４…のみで連結されており、成品部２…相互は連結されていない構造であるが、前記実施の形態のように、ロープ抜止片（ロープ抜止係止部）９，１０の部分で、隣接する成品部２の軸部のロープ抜止片を有しない側の軸周に、連結部１１，１２により連結してもよい。
【００４１】
本実施の形態では、挿入部５，６の軸方向内側に設けられる帆立貝係止部３７，３８を、周方向に対称的に突出する二つの係止片で構成したもので、前記実施の形態の係止部を「∠」形としたのに対し、本実施の形態では、軸端の周方向外方に対称的に「＜」形に突出させたものである。
その他の構成は、前期実施の形態と同じである。
【００４２】
図１３及び図１４は係止ピンの参考例を示す図で、図１３は図２と同様の図、図１４はランナ部から切断した状態の拡大図であり、連結部相互で未だ連結状態にある図である。
ロール状成形品６１のランナ部６３は、係止ピンを構成する成品部６２…の一端部に一条設けられており、成品部６２…のランナ部６３とは反対側の挿入部６５の先端は半球状であり、挿入部６５の軸方向内方部位に、対称的に周方向に突出する二つの係止片からなる帆立貝係止部６７が「＜」形に設けられている。
【００４３】
軸部６７の前記挿入部６５の反対側の軸端部は、所定長さに亘り太径の抜止部６６が夫々形成されており、太径の抜止部６６は、隣接するもの相互が連結部６９，６９で連結されている。
∠成品部６２…の各抜止部６６…の端部は、ランナ部６２にゲート部６４…で連結されている。図１４は、ランナ部６３からゲート部６４を切断して成品部６２…を切り離した状態で、成品部６２…は、連結部６９…で未だ連結されており、連結部６９…を切り離すことで、係止ピンを得ることができる。
【産業上の利用可能性】
【００４４】
本考案は、吊り下げ式帆立貝の養殖に利用することができる。
【符号の説明】
【００４５】
１…ロール状成形品、  ２…成品部、  ３…ランナ部、  ４…ゲート部、  ５，６…挿入部、  ５ａ，６ａ…半球体からなる先端部、  ７，８…係止片（帆立貝係止部）、  ９，１０…ロープ抜止部（ロープ抜止係止部）、  １１，１２…連結部、  １５カッター、  ２０…係止ピン（養殖帆立貝の掛止具）、  ２１…軸部、  ５０…帆立貝、  ５１ａ，５２ａ，５５…耳片、  ５３，５４，５６…掛止孔（耳吊り孔）。
【図１】
0003176403.tif 000003
【図２】
0003176403.tif 000004
【図３】
0003176403.tif 000005
【図４】
0003176403.tif 000006
【図５】
0003176403.tif 000007
【図６】
0003176403.tif 000008
【図７】
0003176403.tif 000009
【図８】
0003176403.tif 000010
【図９】
0003176403.tif 000011
【図１０】
0003176403.tif 000012
【図１１】
0003176403.tif 000013
【図１２】
0003176403.tif 000014
【図１３】
0003176403.tif 000015
【図１４】
0003176403.tif 000016
【図１５】
0003176403.tif 000017
【図１６】
0003176403.tif 000018
【図１７】
0003176403.tif 000019
【図１８】
0003176403.tif 000020
【図１９】
0003176403.tif 000021
【図２０】
0003176403.tif 000022
【図２１】
0003176403.tif 000023
【手続補正書】
【提出日】平成24年4月11日(2012.4.11)
【手続補正１】
【補正対象書類名】実用新案登録請求の範囲
【補正対象項目名】請求項２
【補正方法】変更
【補正の内容】
【請求項２】
前記帆立貝係止部は、軸部の両端の各先部挿入部の各軸方向内方に周方向に突出する各一つの係止片からなる「∠」形、または、各軸方向内方に周方向に対称的に突出する二つの係止片からなる「＜」形であることを特徴とする請求項１記載の帆立貝養殖用の係止ピン。